(57)【要約】【課題】貯水槽外部への水滴の飛散を抑制することができる加湿装置を提供する。【解決手段】水槽本体５が貯留している水をフィルタ２が吸収し、吸収した水から析出したスケールがフィルタ２に付着することによって、フィルタ２の通気性が低下した場合、フィルタ２を通過すべき風は、矢符Ａ２で示すように、フィルタ２を通過せずに水槽本体５側へ迂回する。図２（ａ）に示すように、水槽本体５の内部では、被覆部材６が水面を被覆しているため、風が水槽本体５に吹き付けたとしても、水面に波が生じること、及び、水面から水滴が巻き上げられることはない。従って、水面から水滴が飛散することも、飛散した水滴が貯水槽４１の外部へ移動することもない。【選択図】図２
2011052876.tif 000002
【特許請求の範囲】
【請求項１】
吸水性及び通気性を有する円盤状のフィルタと、
該フィルタを周方向に回転させるための回転駆動機構と、
貯水槽と、
前記フィルタに交差する方向に送風する送風機と
を備え、
前記フィルタは縦姿勢に配されて、該フィルタの外周側の一部が前記貯水槽にて浸水可能にしてある加湿装置において、
前記貯水槽は、
水を貯留する水槽本体と、
前記水槽本体に貯留されている水の前記フィルタが浸水可能な部分以外の水面を被覆する被覆部と
を有することを特徴とする加湿装置。
【請求項２】
前記被覆部は、前記水槽本体に対して着脱可能に装着されていることを特徴とする請求項１に記載の加湿装置。
【請求項３】
前記被覆部は、
その下面が水面に対面し、前記水槽本体の周壁の上端部より低い位置に配される被覆板部と、
前記水槽本体の周壁に着脱可能に係止することによって、前記被覆板部を位置決めし固定する係止部と
を有することを特徴とする請求項２に記載の加湿装置。
【発明の詳細な説明】
【技術分野】
【０００１】
本発明は、円盤状のフィルタを備える気化方式の加湿装置に関する。
【背景技術】
【０００２】
気化方式の加湿装置は、円盤状のフィルタを備える（特許文献１参照）。このフィルタは、吸水性及び通気性を有するフィルタ本体と、フィルタ本体を保持する枠体とを用いてなり、フィルタの一部分が貯水槽にて浸水することによって吸水する。
加湿装置は、装置外部（例えば加湿装置が設置されている室内）の空気を吸入し、吸入した空気を、吸水したフィルタに向けて送風する。このとき、フィルタに吸収されていた水が蒸散する。そして、加湿装置は、蒸散した水を含む風（即ち加湿された風）を、装置外部へ排出する。
【先行技術文献】
【特許文献】
【０００３】
【特許文献１】特開２００９−４７４０２号公報
【発明の概要】
【発明が解決しようとする課題】
【０００４】
フィルタには、スケールが付着することがある。スケールとは、フィルタが吸収した水に含まれている水溶性の不純物（カルシウム又はマグネシウム等）が析出したものである。特に、フィルタを長時間使用した場合には、付着したスケールによって、フィルタの吸水性及び通気性が低下しがちである。吸水性及び通気性の低下によって、フィルタを通過する風の圧力損失が大きくなった場合、フィルタを通過すべき風は、フィルタを迂回（即ち、加湿装置の設計時には想定されていない場所を通過）するようになる。
【０００５】
ところで、フィルタは部分的に浸水しているため、フィルタを迂回した風は、貯水槽内の水に触れ易い。
この結果、水面が大きく波立つため、水面から離脱した水滴が貯水槽外部へ飛散し易くなる。また、風速が高い場合には、水面から巻き上げられた水滴が貯水槽外部へ飛散することがある。
【０００６】
貯水槽外部へ飛散した水滴は、貯水槽外部の物体に付着する。
付着した水滴が乾燥した場合、貯水槽外部の物体には、水滴から析出したスケールが付着する。この結果、加湿装置の内部が汚れ、美観が損なわれる。
更に、水滴の飛散量が多い場合には、水滴が集まって加湿装置の外部へ流出する虞もある。
以上のことから、使用者は、貯水槽外部の物体に付着した水滴を拭き取るか、又は、付着したスケールを掃除しなければならない。即ち、従来の加湿装置は、使用者の利便性が悪いという問題を有する。
【０００７】
本発明は斯かる事情に鑑みてなされたものであり、その主たる目的は、フィルタが浸水可能な部分以外の水面を被覆する構成とすることにより、貯水槽外部への水滴の飛散を抑制することができる加湿装置を提供することにある。
【課題を解決するための手段】
【０００８】
本発明に係る加湿装置は、吸水性及び通気性を有する円盤状のフィルタと、該フィルタを周方向に回転させるための回転駆動機構と、貯水槽と、前記フィルタに交差する方向に送風する送風機とを備え、前記フィルタは縦姿勢に配されて、該フィルタの外周側の一部が前記貯水槽にて浸水可能にしてある加湿装置において、前記貯水槽は、水を貯留する水槽本体と、前記水槽本体に貯留されている水の前記フィルタが浸水可能な部分以外の水面を被覆する被覆部とを有することを特徴とする。
【０００９】
本発明に係る加湿装置は、前記被覆部は、前記水槽本体に対して着脱可能に装着されていることを特徴とする。
【００１０】
本発明に係る加湿装置は、前記被覆部は、その下面が水面に対面し、前記水槽本体の周壁の上端部より低い位置に配される被覆板部と、前記水槽本体の周壁に着脱可能に係止することによって、前記被覆板部を位置決めし固定する係止部とを有することを特徴とする。
【００１１】
本発明にあっては、加湿装置は、フィルタ、回転駆動機構、貯水槽、及び送風機を備える。
貯水槽は、水を貯留する水槽本体と、被覆部とを有する。
フィルタは円盤状になしてあり、吸水性及び通気性を有する。また、フィルタは、外周側の一部が、水槽本体にて浸水可能にしてある。
回転駆動機構は、縦姿勢に配されたフィルタを周方向に回転させる。
周方向へ回転することによってフィルタは、自身の外周側が周方向に連続的に浸水し、また、外周側から中央側へ水を吸い上げる。このため、フィルタ全体に水が行き渡る。つまり、フィルタは、フィルタ全体で効率よく吸水する。
【００１２】
送風機は、吸水したフィルタに向けて、このフィルタに交差する方向に送風する。フィルタに向けて送風される空気は、例えば加湿装置が設置されている室内の乾燥した空気を、装置内部に吸入したものである。フィルタを通過した風は吸湿し、吸湿した風は、装置外部へ放出される。
吸収した水から析出したスケールが、フィルタに付着することによって、フィルタの吸水性及び通気性が低下した場合、フィルタに向けて送風された空気は、フィルタを通過せずに迂回する。
【００１３】
貯水槽の被覆部は、水槽本体に貯留されている水の水面を被覆する。このため、フィルタを迂回した風が、水面に触れることが抑制される。この結果、水面に波が生じること、及び水滴が巻き上げられることが抑制され、延いては、水面からの水滴の飛散が抑制される。
たとえ、水面から水滴が飛散したとしても、飛散した水滴が、例えば撥水性を有する被覆部に当たって水槽本体に落ちるか、又は吸水性を有する被覆部に吸収される等するため、水滴が貯水槽の外部へ飛散することが抑制される。
【００１４】
ところで、被覆部は、フィルタが浸水可能な部分は被覆しない。このため、被覆部によってフィルタの浸水及び回転が妨げられることはない。即ち、フィルタの満遍ない吸水が阻害されることはない。
【００１５】
本発明にあっては、被覆部は、水槽本体に対して着脱可能に装着されている。
被覆部には水滴が付着し易いため、スケールも付着し易い。また、例えば水槽本体に貯留されている水の量が減少した場合、水槽本体の周壁内面にスケールが付着する虞がある。
スケールが付着した貯水槽の掃除を所望する場合、使用者は、水槽本体から被覆部を取り外した状態で、被覆部及び水槽本体を掃除する。何故ならば、被覆部が水槽本体に装着された状態で貯水槽を掃除することは困難であるが、被覆部及び水槽本体を個々に掃除することは容易だからである。従って、貯水槽を掃除する使用者の利便性を向上させることができる。
【００１６】
一方、貯水槽を使用する場合には、使用者は、水槽本体に被覆部を取り付ければよい。
以上の結果、スケールが付着することによって貯水槽が汚れ、美観が損なわれることを抑制することができる。しかも、貯水槽を容易に再利用することができるため、貯水槽を使い捨てにする場合よりも、加湿装置のランニングコストを抑えることができ、且つ、環境負荷を低減することができる。
【００１７】
本発明にあっては、被覆部は、被覆板部及び係止部を有する。
被覆板部は、水槽本体の周壁の上端部より低い位置に配される。このとき、被覆板部の下面は、水面に対面する。
仮に、被覆板部が、水槽本体の周壁の上端部以上の位置に配された場合、水面から飛散した水滴が、周壁の上端部を越え易くなる。
つまり、水槽本体の周壁の上端部より低い位置に被覆板部を配することによって、貯水槽外部への水滴の飛散を更に抑制することができる。
【００１８】
このような被覆板部は、係止部によって位置決めされ、且つ、固定される。
仮に、係止部が存在しなかった場合、被覆板部は、材質によって、水に浮く又は沈む虞がある。被覆板部が水に沈んでいる場合には、被覆部は水滴の飛散を抑制する効果を奏することができない。被覆板部が水に浮いている場合には、加湿装置の傾斜、又は加湿装置に加えられた衝撃等によって、被覆板部の配置位置が無用に変化する虞がある。この結果、被覆部が水槽本体から脱離する、又は、回転するフィルタに被覆部が当接する等の不都合が生じる虞がある。
【００１９】
一方、係止部によって位置決め固定されている場合、被覆部は水滴の飛散を抑制する効果を奏する。且つ、被覆部の水槽本体からの脱離、又はフィルタの吸水の阻害等といった不都合が生じることはない。
しかも、何らかのトラブルによって、水面が被覆板部の上側に位置した場合には、貯水槽の貯水量が過多であることを使用者が容易に認識することができる。
ところで、係止部は水槽本体の周壁に着脱可能に係止する。このため、係止部が水槽本体に対する被覆部の着脱を阻害することはない。
【発明の効果】
【００２０】
本発明の加湿装置による場合、フィルタの経時劣化に伴う不都合の発生を抑制することができる。具体的には、風が水面に触れることが抑制されるため、水面に波が生じること、及び、水面から水滴が巻き上げられることを、抑制することができる。
従って、貯水槽から貯水槽外部への水滴の飛散を抑制することができる。また、飛散した水滴が、貯水槽外部の物体（例えば送風機）に付着すること、及び、付着した水滴から析出したスケールが、貯水槽外部の物体に付着することを、抑制することができる。更には、付着したスケールによって、加湿装置の内部が汚れ、美観が損なわれること、及び、飛散した水滴が集まって加湿装置の外部へ流出することを、抑制することができる。
【００２１】
以上の結果、使用者は、貯水槽外部の物体に付着した水滴を拭き取る必要も、付着したスケールを掃除する必要もない。即ち、本発明の加湿装置は、使用者の利便性を向上させることができる。
【図面の簡単な説明】
【００２２】
【図１】本発明の実施の形態に係る加湿装置の内部構成を模式的に示す側面図である。
【図２】本発明の実施の形態に係る加湿装置及び従来の加湿装置夫々が備えるフィルタを風が迂回する場合を示す説明図である。
【図３】本発明の実施の形態に係る加湿装置が備えるフィルタ及び貯水槽の構成を示す斜視図である。
【図４】本発明の実施の形態に係る加湿装置が備えるフィルタ及び貯水槽の構成を示す背面図である。
【図５】図４におけるＶ−Ｖ線の断面図である。
【図６】本発明の実施の形態に係る加湿装置が備える貯水槽の構成を示す斜視図である。
【図７】本発明の実施の形態に係る加湿装置が備える貯水槽の水槽本体の構成を示す斜視図である。
【図８】本発明の実施の形態に係る加湿装置が備える貯水槽の被覆部の構成を示す斜視図である。
【発明を実施するための形態】
【００２３】
以下、本発明を、その実施の形態を示す図面に基づいて詳述する。
図１は、本発明の実施の形態に係る加湿装置１の内部構成を模式的に示す側面図である。
図２（ａ）は、加湿装置１が備えるフィルタ２を風が迂回する場合を示す説明図であり、加湿装置１が備えるフィルタ２及び貯水槽４１を加湿装置１の背面側から見た場合の模式的な背面図でもある。
図２（ｂ）は、従来の加湿装置が備えるフィルタ２を風が迂回する場合を示す説明図であり、従来の加湿装置が備えるフィルタ２及び貯水槽４０を加湿装置の背面側から見た場合の模式的な背面図でもある。
【００２４】
図１及び図２（ａ）に示すように、加湿装置１は、筐体１０、浄化フィルタ１１、ルーバ１２、フィルタ２、回転駆動機構３、貯水槽４１、及び送風機７を備える。
筐体１０は、縦型の直方体状になしてあり、室内の床面に立設される。筐体１０の後部には、吸気口１０１が形成されており、筐体１０の天部には、排気口１０２が形成されている。吸気口１０１は、図示しない集塵フィルタによって閉塞されている。排気口１０２には、可動式又は固定式のルーバ１２が配設されている。
筐体１０の内部には、吸気口１０１と排気口１０２とを結ぶ通風路１０３が形成されている。
【００２５】
通風路１０３の中途には、浄化フィルタ１１と、フィルタ２、回転駆動機構３、及び貯水槽４１と、送風機７とが、吸気口１０１側から排気口１０２側へこの順に配されている。ただし、貯水槽４１の後述する第２トレイ５２は、通風路１０３の外部（更に詳細には、筐体１０の外部）に配置されている。
通風路１０３は、吸気口１０１から送風機７までは、筐体１０の底部に沿って、加湿装置１の前後方向に形成されており、送風機７から排気口１０２までは、筐体１０の前部に沿って、加湿装置１の上下方向に形成されている。
以下では、加湿装置１の前後方向（又は上下方向）を、単に、前後方向（又は上下方向）という。
【００２６】
浄化フィルタ１１は、吸気口１０１を全体的に被覆する矩形状になしてあり、通気性を有する集塵及び脱臭兼用のフィルタ本体と、フィルタ本体を保持する合成樹脂製の枠体とを用いてなる。浄化フィルタ１１は、枠体に対して、加湿装置１の使用者が手作業で容易にフィルタ本体を取り付け、また、取り外すことが可能であるよう構成されている。浄化フィルタ１１は、自身を通過する空気を濾過して空気中の微小な浮遊ゴミ及び砂塵等を濾し取り、また、脱臭する。
【００２７】
貯水槽４１は、上部が開口したトレイ状になしてある水槽本体５と、水槽本体５に対して着脱可能に装着される被覆部材６とを備えている（後述する図３〜図８参照）。被覆部材６は、本発明の実施の形態における被覆部として機能する。
水槽本体５及び被覆部材６は、夫々合成樹脂製である。つまり、被覆部材６は撥水性を有する。なお、被覆部材６は、撥水性を有するものに限定されず、例えば、吸水性を有する部材であってもよい。
【００２８】
水槽本体５は、横方向に長い形状になしてあり、自身の長手方向が左右方向に沿うようにして、筐体１０内の底部に着脱可能に装着される。
また、水槽本体５は、通風路１０３の外部（更に詳細には筐体１０の左側部外面）に配置された給水タンクＴ（後述する図４参照）から供給された水を貯留する。この給水タンクＴは、水槽本体５にて所定の水位を維持すべく、水槽本体５に対して自動的に給水するよう構成されている。
給水タンクＴによって維持される水位は、フィルタ２が十分に浸水し、しかも、水槽本体５の周壁（具体的には、後述する前側壁５１１、後側壁５１２、及び右側壁５１４を含む各側壁）の上端部よりも適宜に低い位置である。
【００２９】
フィルタ２は、適宜の厚みを有する円盤状になしてあり、吸水性及び通気性を有するハニカム構造のフィルタ本体と、フィルタ本体を保持する合成樹脂製の枠体とを用いてなる。フィルタ２は、枠体に対して、使用者が手作業で容易にフィルタ本体を取り付け、また、取り外すことが可能であるよう構成されている。
フィルタ２は、回転駆動機構３に着脱可能に装着される。回転駆動機構３に装着されたフィルタ２は、回転駆動機構３の後述する駆動ローラ３２と従動ローラ３４，３４とによって３点支持される。このとき、フィルタ２は、左右方向に、且つ縦姿勢に配され、更に、自身の外周下部が、貯水槽４１にて浸水可能になる（後述する図３〜図５参照）。
【００３０】
また、回転駆動機構３に装着されたフィルタ２は、回転駆動機構３の作動に伴い、周方向に回転する。フィルタ２の回転軸は、前後方向に配される。
周方向へ回転するフィルタ２は、外周部分が周方向に連続的に浸水する。このとき、フィルタ２の浸水している外周部分が吸水する。外周部分が吸水した水は、フィルタ２の中央部分が吸い上げる。この結果、フィルタ２は満遍なく吸水する。従って、フィルタ２の吸水量は多い。
【００３１】
ところで、貯水槽４１の被覆部材６は、図１に示すように、水槽本体５（更に詳細には、後述する第１トレイ５１）に貯留されている水の水面を被覆する。このとき、被覆部材６は、図２（ａ）に示すように、フィルタ２が浸水可能な部分以外の水面を被覆する。このため、被覆部材６によってフィルタ２の浸水及び回転、延いてはフィルタ２の吸水が阻害されることはない。
【００３２】
図１及び図２（ａ）に示す回転駆動機構３は、フィルタモータ３１、駆動ローラ３２、連結軸部３３、及び２個の従動ローラ３４，３４を備える。
フィルタモータ３１は、ＤＣモータ又はＡＣモータを用いてなり、筐体１０の内部の所定位置に固定されている。
駆動ローラ３２の回転軸は、前後方向に配されている。
連結軸部３３は、フィルタモータ３１の出力軸と駆動ローラ３２の回転軸とを連結している。
【００３３】
各従動ローラ３４の回転軸は、前後方向に配される。各従動ローラ３４は、水槽本体５（更に詳細には第１トレイ５１。後述する図５〜図７参照）の側壁内部に回動可能に支持されている。
駆動ローラ３２、及び従動ローラ３４，３４は、仮想的な二等辺三角形の頂点の位置に配される。駆動ローラ３２の周面は、フィルタ２の外周面の最頂部に接触し、従動ローラ３４，３４夫々の周面は、フィルタ２の外周面に接触する。
【００３４】
フィルタモータ３１が作動した場合、駆動ローラ３２が一方向に回転する。そして、駆動ローラ３２の回転が、フィルタ２に伝達され、更に、フィルタ２を介して従動ローラ３４，３４に伝達される。この結果、フィルタ２が周方向に回転する。
送風機７はシロッコ・ファンを用いてなり、浄化フィルタ１１及びフィルタ２夫々に向けて、浄化フィルタ１１及びフィルタ２夫々に直交する方向に送風する。このために、送風機７はファンモータ７１と羽根７２とを備えている。
【００３５】
ファンモータ７１は、ＤＣモータ又はＡＣモータを用いてなり、羽根７２は、ファンモータ７１が作動することによって回転する。羽根７２が回転した場合、図１に実線の矢符Ａ１で示すように、加湿装置１の外部から吸気口１０１を通過して通風路１０３へ吸入され、更に、通風路１０３を通過し、最後に、通風路１０３から排気口１０２を通過して加湿装置１の外部へ排出される空気の流れ（即ち風）が発生する。図２においては、図面に向かって手前側が風の上流側であり、奥側が下流側である。
【００３６】
加湿装置１が設置されている室内の空気は、汚染されており、また、湿度が低い。
そこで、通風路１０３へ吸入された風は、まず、浄化フィルタ１１を通過することによって浄化される。
次いで、浄化された風がフィルタ２を通過することによって加湿される。何故ならば、フィルタ２を通過する風が、フィルタ２が吸収している水の蒸散を促し、蒸散した水（即ち水蒸気）が、フィルタ２を通過する風に混入するからである。
【００３７】
浄化及び加湿された風は、通風路１０３を通過した後、ルーバ１２によって風向を規定されてから、加湿装置１が設置されている室内へ排出される。
以上の結果、加湿装置１が設置されている室内の空気が全体的に浄化及び加湿される。
ここで、図２（ｂ）に示すフィルタ２、回転駆動機構３、及び貯水槽４０は、図２（ａ）に示すフィルタ２、回転駆動機構３、及び貯水槽４１の水槽本体５に相当する。
【００３８】
長時間連続的に使用されたフィルタ２には、多量のスケールが付着する。フィルタ２に付着したスケールは、フィルタ２の通気性を低下させる。このため、フィルタ２を通過する風の圧力損失が大きくなる。
このとき、フィルタ２を通過すべき風は、図２に破線の矢符Ａ２で示すように、フィルタ２を迂回するようになる。
【００３９】
図２（ｂ）に示すように、従来の貯水槽４０には被覆部材６が備えられておらず、水面は露出している。このため、フィルタ２を迂回した風は、貯水槽４０に貯留されている水に直接的に触れ、水面に大きな波を発生させる。この結果、水面から離脱した水滴が貯水槽４０の外部へ飛散する。特に、風速が高い場合には、水面から水滴が巻き上げられるため、貯水槽４０の外部への水滴の飛散量が多くなる。
【００４０】
一方、図２（ａ）に示すように、貯水槽４１には被覆部材６が備えられており、水面は露出していない。このため、フィルタを迂回した風が、水槽本体５に貯留されている水に直接的に触れることが抑制される。この結果、水面に波が生じること、及び水面から水滴が巻き上げられることが抑制される。たとえ、水面から水滴が飛散したとしても、飛散した水滴は、被覆部材６に当たって水槽本体５に落ちる。
以上の結果、水面から貯水槽４１の外部へ水滴が飛散する不都合が抑制される。
【００４１】
次に、貯水槽４１の詳細な構成について説明する。
図３及び図４は、フィルタ２及び貯水槽４１の構成を示す斜視図及び背面図である。
図５は、図４におけるＶ−Ｖ線の断面図であり、後述する係止部６５，６６近傍の構成を示す拡大断面図でもある。
図６、図７、及び図８は、貯水槽４１、水槽本体５、及び被覆部材６の構成を各示す斜視図である。
【００４２】
水槽本体５は、その内部にフィルタ２が配される第１トレイ５１と、その内部に給水タンクＴが着脱可能に装着される第２トレイ５２とを一体に有する。
第１トレイ５１は、平面視が矩形状になしてあり、左右方向（又は前後方向）の長さがフィルタ２の直径（又は厚み）よりも適長長く設けられている。また、第１トレイ５１の前側壁５１１、後側壁５１２、及び右側壁５１４は、水槽本体５の周壁に相当する。第１トレイ５１の前側壁５１１及び後側壁５１２は、フィルタ２を通過する風を阻害しない適宜の高さを有する。
【００４３】
第１トレイ５１と第２トレイ５２とは、水槽本体５の底壁、前側壁５１１、及び後側壁５１２夫々の内面に一体に設けられている板状の仕切り部５０１（図７参照）によって仕切られている。ただし、仕切り部５０１の底部には、図示しない通水孔が形成されている。このため、給水タンクＴから供給された水は、第２トレイ５２から、仕切り部５０１の通水孔を通過して、第１トレイ５１に流入し、貯留される。
この通水孔の開口上端位置は、給水タンクＴによって維持される水位よりも十分に低い。つまり、通常、加湿装置１の使用時には、仕切り部５０１の通水孔は水没しているため、この通水孔を通過することによって第１トレイ５１側と第２トレイ５２側との間で空気が流入出することはない。
【００４４】
仕切り部５０１の上部には、合成樹脂製の板状の仕切り部５０２が連続的に配設されている。
水槽本体５の第１トレイ５１は、筐体１０の左側部に形成されている開口から挿入されて、筐体１０内の底部に着脱可能に装着される。この開口は、第１トレイ５１及び仕切り部５０１，５０２によって閉塞される。この結果、加湿装置１は、第１トレイ５１及びフィルタ２が配置される通風路１０３側と、第２トレイ５２及び給水タンクＴが配置される側（即ち通風路１０３の外部側）とに仕切られる。以下では、第２トレイ５２及び給水タンクＴが配置される側を、タンク配置側という。
【００４５】
図４においては、図面に向かって仕切り部５０２の右側が通風路１０３側、仕切り部５０２の左側がタンク配置側である。仕切り部５０１，５０２を迂回することによる通風路１０３側とタンク配置側との間の空気の流入出はほとんど発生しない。
このため、送風機７が作動している場合であっても、タンク配置側には風が発生しない。つまり、第２トレイ５２の水面から水滴が飛散することはない。仮に、水滴が飛散したとしても、第２トレイ５２には給水タンクＴが装着されているため、飛散した水滴は、給水タンクＴに当接して第２トレイ５２の内部に落下する。従って、貯水槽４１が、第２トレイ５２の水面を被覆する被覆部を備える必要はない。
【００４６】
被覆部材６は、枠体６０と、被覆板部６１，６３，６４と、４個の係止部６５，６５，６６，６６とが、一体に形成されたものであり、水槽本体５の第１トレイ５１に対して着脱可能に装着される。
枠体６０は、被覆板部６１，６３，６４を支持するものである。具体的には、枠体６０は、第１トレイ５１に内嵌めされる四角筒状になしてあり、前面部６０１、後面部６０２、左面部６０３、及び右面部６０４が、第１トレイ５１の前側壁５１１、後側壁５１２、仕切り部５０１、及び右側壁５１４に接触する。
【００４７】
被覆板部６１は、平面視が左右方向に長い矩形状をなしており、第１トレイ５１の前側壁５１１とフィルタ２との間の水面を被覆する。このような被覆板部６１は、枠体６０の前面部６０１に一体に突設されている。
被覆板部６３は、平面視が矩形状をなしており、仕切り部５０１とフィルタ２との間の水面を被覆する。このような被覆板部６３は、枠体６０の前面部６０１及び後面部６０２夫々の一部、並びに左面部６０３に一体に突設されている。
被覆板部６４は、平面視が矩形状をなしており、第１トレイ５１の右側壁５１４とフィルタ２との間の水面を被覆する。このような被覆板部６４は、枠体６０の右面部６０４に一体に突設されている。
【００４８】
ただし、被覆部材６は、第１トレイ５１の後側壁５１２とフィルタ２との間の水面を被覆する被覆板部は備えていない。何故ならば、図５に示すように、後側壁５１２とフィルタ２との間の水面は前後方向に狭く、大きな波が生じ難いからである。また、この水面から水滴が巻き上げられたとしても、巻き上げられた水滴は、風下側に存在するフィルタ２に当接するからである。更に、万が一、水滴がフィルタ２を迂回したとしても、貯水槽４１の外部へ到達するまでに、貯水槽４１の内部へ落下するからである。
即ち、後側壁５１２とフィルタ２との間に被覆板部が存在しなくても、水滴が貯水槽４１の外部へ飛散することは抑制される。
【００４９】
以上のような被覆板部６１，６３，６４夫々の下面は、第１トレイ５１に貯留されている水の水面に対面し、また、第１トレイ５１の前側壁５１１、後側壁５１２、及び右側壁５１４夫々の上端部よりも低い位置に配される。しかも、枠体６０は、第１トレイ５１の内部に配される。
【００５０】
従って、万が一、枠体６０、及び被覆板部６１，６３，６４の何れかを迂回して水滴が飛散したとしても、飛散した水滴が、前側壁５１１、後側壁５１２、又は右側壁５１４の上端部を越えることは抑制される。つまり、枠体６０が第１トレイ５１に外嵌めされ、また、被覆板部６１，６３，６４夫々の下面が第１トレイ５１の前側壁５１１、後側壁５１２、及び右側壁５１４夫々の上端部以上の高さに配される場合よりも、貯水槽４１の外部への水滴の飛散を抑制することができる。
【００５１】
係止部６５，６５，６６，６６は、枠体６０、延いては被覆板部６１，６３，６４を位置決めし、第１トレイ５１に固定するためのものである。
係止部６５，６５（又は係止部６６，６６）夫々はＬ字状になしてあり、互いに左右方向に離隔配置されて、枠体６０の前面部６０１（又は後面部６０２）の上端部外面に一体に突設されている。各係止部６５（又は各係止部６６）は、第１トレイ５１の前側壁５１１（又は後側壁５１２）の上端部に、着脱可能に上側から係止する。
係止部６５，６５（又は係止部６６，６６）の係止のために、前側壁５１１（又は後側壁５１２）の上端部外面には、係止突起５１５，５１５（又は係止突起５１６，５１６）が突設されている。
【００５２】
係止部６５と係止部６６とは、前後対称形状であるため、以下では係止部６６について詳述し、係止部６５についての詳述は省略する。
係止部６６は、後面部６０２の上端部から後方に突出する板状の水平部６６１と、水平部６６１の先端部から下方に突出する板状の鉛直部６６２とを一体に有する。
水平部６６１は可撓性を有する。水平部６６１に形成されている貫通孔６６３は、水平部６６１に可撓性を与えるためのものである。仮に、貫通孔６６３が形成されていない場合には、水平部６６１に可撓性を与えるために水平部６６１の厚みを減少させる必要があり、水平部６６１が破損し易くなる。
鉛直部６６２の先端部内面には、係止爪６６４が突設されている。
【００５３】
使用者が、枠体６０を第１トレイ５１の内部に挿入し、被覆部材６に上側から下側へ外力を印加した場合、係止部６６の係止爪６６４が、後側壁５１２の係止突起５１６に当接する。このとき、使用者が更に外力を加えることによって、水平部６６１が上側へ撓み、係止爪６６４が係止突起５１６を上側から下側へ乗り越える。係止爪６６４が係止突起５１６を乗り越え終えた後、弾性によって水平部６６１が元の形状に戻るため、係止爪６６４と係止突起５１６とが係合する。従って、係止部６６は後側壁５１２に係止する。同様に、係止部６５は前側壁５１１に係止する。
【００５４】
以上の結果、被覆部材６が第１トレイ５１に取り付けられ、被覆板部６１，６３，６４が位置決め固定される。位置決め固定された被覆板部６１，６３，６４は、例えば加湿装置１が傾斜した場合、又は加湿装置１に衝撃が加えられた場合等であっても、フィルタ２に当接したり、第１トレイ５１から脱離したりする虞はない。
【００５５】
また、使用者が、例えば被覆板部６１，６４に指を引っ掛けて、被覆部材６に下側から上側へ外力を印加した場合、水平部６６１が上側へ撓み、係止爪６６４が後側壁５１２の係止突起５１６を下側から上側へ乗り越える。この結果、係止爪６６４と係止突起５１６との係合が解除されるため、係止部６６と後側壁５１２との係止が解除される。同様に、係止部６５と前側壁５１１との係止が解除される。
以上の結果、被覆部材６が第１トレイ５１から取り外される。
このように、使用者は、被覆部材６を第１トレイ５１に対して容易に着脱する。
【００５６】
被覆部材６（特に、被覆板部６１，６３，６４の下面）には水滴が付着し易いため、スケールも付着し易い。また、水槽本体５の内面にスケールが付着することがある。
スケールが付着した貯水槽４１の掃除を所望する場合、使用者は、筐体１０から貯水槽４１を取り外し、更に、第１トレイ５１から被覆部材６を取り外す。このため、使用者は、水槽本体５及び被覆部材６夫々を容易に清掃することができる。
そして、使用者は、貯水槽４１を筐体１０に装着する前に、第１トレイ５１に被覆部材６を取り付ける。
【００５７】
ところで、送風機７が作動することによって、通風路１０３を風が通過し続ける。このとき、筐体１０内部の通風路１０３側の気圧は、タンク配置側の気圧より低くなる。
仮に、仕切り部５０１，５０２が備えられていない場合、タンク配置側から通風路１０３側へ、浄化フィルタ１１を通過していない空気が容易に流入するため、空気の浄化効率が悪化する。つまり、仕切り部５０１，５０２は、空気の浄化効率を向上させている。
【００５８】
ここで、送風機７の作動中に何らかの事情（例えば給水タンクＴからの給水量の不足）によって、貯水槽４１の水位が、仕切り部５０１の通水孔の開口上端位置以下に達した場合を考える。このとき、タンク配置側と通風路１０３側との気圧差によって、仕切り部５０１の通水孔を通過してタンク配置側から通風路１０３側へ吹き込む風が発生する。
【００５９】
このような風（以下、不正規の風という）は、水面から水滴を容易に巻き上げる。しかしながら、巻き上げられた水滴が貯水槽４１の外部へ飛散することはない。何故ならば、飛散した水滴は、被覆板部６３に当接して第１トレイ５１へ落下するからである。仮に、水面から巻き上げられた水滴が、被覆部材６が配されていない位置へ飛散したとしても、被覆部材６が被覆していない部分には、フィルタ２が配置されている。このため、飛散した水滴は、フィルタ２に当接する。
【００６０】
ところで、特許文献１には、不正規の風によって巻き上げられた水滴が貯水槽４１の外部へ飛散することを防止する飛散防止部が開示されている。しかしながら、特許文献１に記載の飛散防止部は、仕切り部５０１とフィルタ２との間の水面を被覆するものであり、例えば、第１トレイ５１の前側壁５１１とフィルタ２との間は被覆していない。このため、特許文献１に記載の飛散防止部は、フィルタ２を迂回した風による水滴の飛散を十分に抑制することができない。
つまり、被覆部材６は、特許文献１に記載の飛散防止部と同様の効果と、更に、フィルタ２を迂回した風による水滴の飛散を抑制する効果とを同時的に奏することができる。
【００６１】
以上のような加湿装置１は、フィルタ２の経時劣化に伴って発生する貯水槽４１から貯水槽４１の外部への水飛沫を抑制することができる。
従って、貯水槽４１の風下側に配置されている物体（例えば通風路１０３の内面、及び送風機７等）に水滴が付着することが抑制され、また、付着した水滴から析出したスケールが、貯水槽４１の風下側に配置されている物体に付着することが抑制される。
この結果、付着したスケールによって加湿装置１の内部が汚れ、美観が損なわれることも、飛散した水滴が集まって加湿装置１の外部へ流出することもない。
【００６２】
なお、加湿装置１の構成は、本実施の形態の構成に限定されるものではない。例えば、加湿装置１は、送風機７が送風する空気を、フィルタ２の上流側で加熱しておく構成でもよい。この場合、フィルタ２における蒸散が更に促進される。
また、加湿装置１は、排気口１０２の近傍にイオン発生素子を配して、発生させたプラスイオン及びマイナスイオンを、排出する空気に付加する構成でもよい。
【００６３】
更に、フィルタ２及び回転駆動機構３の構成は、本実施の形態の構成に限定されるものではない。例えば、回転駆動機構３は、従動ローラ３４，３４を備えない構成でもよい。この場合、フィルタ２は、フィルタ２の中心位置が、横姿勢に配された円柱状の回転軸部によって貫通され、この回転軸部が、適宜の軸受によって回転自在に支持される。
更にまた、フィルタ２のフィルタ本体は、ハニカム構造のものに限定されず、フィルタ素材がプリーツ加工されてなるものでもよい。
【００６４】
また、第１トレイ５１に対して被覆部材６を着脱する使用者が、各係止部６５，６６を前側壁５１１及び後側壁５１２に対して容易に係脱することができるように、各係止部６５，６６に摘み部が配設されていてもよい。しかしながら、摘み部が形成される分だけ被覆部材６の製造に必要な合成樹脂の量が増大するため、被覆部材６の製造コストが増大する。しかも、フィルタ２を通過しようとする風を、僅かとはいえ摘み部が阻害する虞もある。従って、本実施の形態の被覆部材６のように、摘み部が存在しない構成の方が好ましい。
【００６５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、加湿装置１に、実施の形態に開示されていない構成要素が含まれていてもよい。
【符号の説明】
【００６６】
１    加湿装置
２    フィルタ
３    回転駆動機構
４１  貯水槽
５    水槽本体
５１１  前側壁（周壁）
５１２  後側壁（周壁）
５１４  右側壁（周壁）
６    被覆部材（被覆部）
６１，６３，６４  被覆板部
６５，６６  係止部
７    送風機
【図１】
2011052876.tif 000003
【図２】
2011052876.tif 000004
【図３】
2011052876.tif 000005
【図４】
2011052876.tif 000006
【図５】
2011052876.tif 000007
【図６】
2011052876.tif 000008
【図７】
2011052876.tif 000009
【図８】
2011052876.tif 000010